(57)【要約】【課題】突出した出っ張り形状を有しないで輪ゴムを係止し、一本一本取り出すことができかつ２つの輪ゴム保持部を有する輪ゴムホルダを提供することを目的とする。【解決手段】本考案の輪ゴムホルダ１は、板状の基台２と、輪ゴムが掛止できる切り欠き状の輪ゴム保持部４を左右に有し、該基台２の表面に対して裏面が対向するように所定間隔を隔てて重なるように並設される板状の表装３台と、を有することを特徴とする。【選択図】図１
0003130835.tif 000002
【実用新案登録請求の範囲】
【請求項１】
板状の基台と、
輪ゴムが掛止できる切り欠き状の輪ゴム保持部を左右に有し、該基台の表面に対して裏面が対向するように所定間隔を隔てて重なるように並設される板状の表装台と、を有することを特徴とする輪ゴムホルダ。
【請求項２】
前記輪ゴム保持部の前記輪ゴムが挿入される最狭部の間隔は、該輪ゴムの厚みより狭い請求項１に記載の輪ゴムホルダ。
【請求項３】
前記輪ゴム保持部の先端部近傍は、前記基台に対して突出し、前記基台との間の間隔が前記輪ゴムの厚みよりも狭い突出部をもつ請求項１又は２に記載の輪ゴムホルダ。
【請求項４】
前記表装台は、２つの前記輪ゴム保持部の間に逆しずく形状に開口する開口部を持ち、該開口部の上端の表面が下端に向かって前記基台に近づく方向に傾斜しており、該表装台の裏面が該開口部の下端から該表装台の下端部に向かって該基台に近づく方向に傾斜しており、筆記具の先端又は該筆記具のクリップを差し込むことができる筆記具保持部を有する請求項１〜３の何れかに記載の輪ゴムホルダ。
【請求項５】
２つの前記輪ゴム保持部の上方に位置し、前記基台の表面及び前記表装台の裏面に、対向する面に向けて交互に突出した挟み部をもつ紙保持部を更に有する請求項１〜４の何れかに記載の輪ゴムホルダ。
【請求項６】
前記基台の裏面に固定された粘着材又はマグネットを更に有する請求項１〜５の何れかに記載の輪ゴムホルダ。
【考案の詳細な説明】
【技術分野】
【０００１】
本考案は、輪ゴムを保持できる輪ゴムホルダに関し、詳しくは保持された輪ゴムを片手でも一本一本取り出すことができる輪ゴムホルダに関する。
【背景技術】
【０００２】
一般的に流通している輪ゴムは、輪ゴムの径、輪ゴムの厚み等が異なる複数の種類が存在し、用途に合わせて使いわけられている。そして、輪ゴムは通常、１つの箱に雑然と入れられていたり、筒状物にはめて保持されていたり、出っ張りに引っかけていたりする。このような状態で輪ゴムが保持されていると、複数の輪ゴムが絡まって必要に応じて一本一本取り出すのが困難な場合がある。
【０００３】
特許文献１では、台座から２本の腕状の輪ゴム係止部（輪ゴム保持部）が突出し、所定間隔の最狭部だけ隔てて略円形を形成している。輪ゴムは、この最狭部に輪ゴムの一部を通過させ、輪ゴム係止部に係止され又は取り出される。最狭部の所定間隔は、輪ゴムの厚みより狭くしてある。そのため、輪ゴムは一本だけがつままれ引っ張られてその厚みが狭くならなければ、最狭部を通過することができない。つまり、取り出したい一本に他の複数本が絡みついたとしても、引っ張られて厚みが狭くなった一本の輪ゴム以外は最狭部を一度に通過することができないようになっている。
【特許文献１】実開平５−７０４０１号公報
【考案の開示】
【考案が解決しようとする課題】
【０００４】
上記特許文献１に示されるような輪ゴムホルダは、輪ゴムで束ねたいものを片手で抑えているような状態であっても、残りのもう一方の手だけで輪ゴムを一本一本取り出せる。しかし、特許文献１の輪ゴムホルダの輪ゴム係止部は台座から突出しており、狭い空間（例えばキッチンや玄関）では、引っかかりやすく場所をとるので、設置場所を考慮する必要がある。また、輪ゴム係止部も１つであるので、複数種の輪ゴムを別に保持するには、輪ゴムホルダが複数必要である。
【０００５】
本考案は上記課題に鑑みてなされたもので、突出した出っ張り形状を有しないで輪ゴムを掛止でき、片手だけでも一本一本取り出すことができかつ２つの輪ゴム保持部を有する輪ゴムホルダを提供することを目的とする。
【課題を解決するための手段】
【０００６】
本考案の輪ゴムホルダは、板状の基台と、輪ゴムが掛止できる切り欠き状の輪ゴム保持部を左右に有し、該基台の表面に対して裏面が対向するように所定間隔を隔てて重なるように並設される板状の表装台と、を有することを特徴とする。
【０００７】
本考案の輪ゴムホルダは、板状の基台と表装台とが広い平らな面を向かい合わせに並設される。そして、表装台の左右に輪ゴムが掛止できる輪ゴム保持部が形成されている。
【０００８】
本考案の輪ゴムホルダは、板状の基台と表装台とが並設されているので、表面上（表面及び裏面）に突起や突出した部分がなく、非常に薄くコンパクトである。その上、平らな面を有することができるので、表面上に文字や図形等を記載する十分なスペースが確保できる。また、輪ゴム保持部が２つあるので、輪ゴムを区別して保持することができる。
【０００９】
本考案の輪ゴムホルダで用いられる輪ゴム保持部の前記輪ゴムが挿入される最狭部の間隔は、該輪ゴムの厚みより狭いことが好ましい。これにより、輪ゴム保持部から輪ゴムを取り出す際、片手だけで一本一本を取り出すことができる。
【００１０】
本考案の輪ゴムホルダで用いられる輪ゴム保持部の先端部近傍は、前記基台に対して突出し、前記基台との間の間隔が前記輪ゴムの厚みよりも狭い突出部をもつことが好ましい。これにより、輪ゴム保持部から輪ゴムを取り出す際、片手だけで一本一本取り出すことができる。また、突出部は表装台の裏面（基台と向き合う面）から基台に対して突出しているので、輪ゴムホルダの表面上には突起が見えにくく、表面的にはすっきりした形状となる。
【００１１】
本考案の輪ゴムホルダで用いられる前記表装台は、２つの前記輪ゴム保持部の間に逆しずく形状に開口し、該開口の上端の表面が前記基台に対して近づく方向に傾斜しており、該表装台の下端部から該開口の下端までの裏面が該基台に対して近づく方向に傾斜しており、筆記具の先端又は該筆記具のクリップを差し込むことができる筆記具保持部を有することが好ましい。本考案の輪ゴムホルダは、平らでコンパクトな形状にも関わらず、筆記具（例えば、鉛筆やボールペン等）を輪ゴム以外にも保持することができる。本考案の輪ゴムホルダによれば、限られたスペースにいくつもの小物をバラバラと置くことなく、まとめてコンパクトに保持しておくことができる。
【００１２】
本考案の輪ゴムホルダは、２つの前記輪ゴム保持部の上方に位置し、前記基台の表面及び前記表装台の裏面に、対向する面に向けて交互に突出した挟み部をもつ紙保持部を更に有することが好ましい。基台と表装台とが互いに対向する面に突出した挟み部をもち、それらが互い違いに配置されることにより、紙の下方を波形に変形させるので、紙は戻ろうとする力により紙保持部に挟み込まれると共に、自立させることができる。本考案の輪ゴムホルダは、輪ゴムだけでなくメモ用紙等も保持することができる。
【００１３】
本考案の輪ゴムホルダは、前記基台の裏面に固定された粘着材又はマグネットを更に有することが好ましい。これにより、本考案の輪ゴムホルダを壁や扉等に粘着材で、あるいは冷蔵庫や洗濯機等にマグネットで固定することができるので、使いやすい場所や位置に思うように配置することできる。
【考案の効果】
【００１４】
本考案の輪ゴムホルダは、板状の基台と表装台とが並設されているので、表面上（表面及び裏面）に突起や突出した部分がなく、非常に薄くコンパクトである。その上、平らな面を有することができるので、表面上に文字や図形等を記載する十分なスペースが確保できる。また、輪ゴム保持部が２つあるので、輪ゴムを区別して保持することができる。そして、輪ゴム保持部に輪ゴムを掛止又は取り出しさせるために、輪ゴムの一部が通過する最狭部の間隔を輪ゴムの厚みより狭くすることで、輪ゴムを一本一本片手だけで取り出すことができる。つまり、まとめて取り出されることがない。また、表装台と基台との間隔も突出部により輪ゴムの厚みより狭くすることで同様に輪ゴムを一本一本片手だけで取り出すことができ、かつ表面的には引っかかりやすい突起がなく、すっきりした形状にできる。
【００１５】
その他に、本考案の輪ゴムホルダは、輪ゴム以外に筆記具及び紙類を保持できるので、バラバラになりがちな小物を１つにまとめて置くことができる。また、壁、ドア、冷蔵庫等に粘着材あるいはマグネットで固定することで、好きな場所に設置できる。
【考案を実施するための最良の形態】
【００１６】
以下、実施例を用いて本考案を具体的に説明する。
【００１７】
（実施例）
本実施例の輪ゴムホルダ１の斜視図を図１に、正面図を図２に、右側面図を図３に、上面図を図４に、底面図を図５にそれぞれ示す。
【００１８】
本実施例の輪ゴムホルダ１は、板状の基台２と、基台２から所定間隔を隔てて並設される板状の表装台３とからなる。
【００１９】
基台２は、表装台３より一回り大きい角丸長方形状の板状体である。同様に、表装台３は、基台より一回り小さい角丸長方形状の板状体である。
【００２０】
表装台３は、輪ゴムを保持する輪ゴム保持部４と、筆記具を保持する筆記具保持部４と、紙類を保持する紙保持部６とを有する。
【００２１】
輪ゴム保持部４は、水平方向に並んで２カ所表装台３に設けられている。図中左側を輪ゴムホルダ１の左とする。輪ゴム保持部４は、表装台３の表面に２つの円が並んで開口しており、左側の輪ゴム保持部４は表装台３の左側の端部が切り欠かれ、右側の輪ゴム保持部４は表装台３の右側の端部が切り欠かれている。輪ゴムは、この切り欠かれた切り欠き部分４１を輪ゴムの一部が通過して掛止され又は取り出される。この切り欠き部分４１の裏側に基台２に対して突出した突起状の突出部４２が設けられている。対向する基台２側にも同様に突出部４２に対して突出する突出部２１が設けられている。２つの突出部４２と２１とは、その間隔が輪ゴムの厚みより狭くなるように突出している。輪ゴム保持部４の開口は、円形形状に限られず、開口していればどのような形状でも良い。例えば、四角形、楕円形等が考えられる。
【００２２】
筆記具保持部５は、水平方向において２つの輪ゴム保持部４の間に位置し、表装台３が逆しずく形状に開口している。開口の上端側の表装台３の表面が削られているように傾斜した上傾斜５１と、開口の下端側の表装台３の裏面側も同様に傾斜した下傾斜５１とを有している。上傾斜５１は上から下に向けて表装台３の厚さが薄くなり、下傾斜５２は上から下に向けて表装台３の厚さが厚くなるように形成されている。
【００２３】
紙保持部６は、輪ゴムホルダ４と筆記具保持部５との上方に位置する。基台２の表面（表装台３に対向している面）と、表装台３の裏面（基台２に対向している面）とにそれぞれ、紙類を挟み込むための挟み部２２、６１を有する。挟み込み部２２、６１は、それぞれが形成されている台に対向する台に突出し、鉛直方向に延長している。そして、その上方部分は上端に向かって突出がなくなるように傾斜している。３つの挟み込み部２２と、２つの挟み込み部６１とは、水平方向で交互に形成されている。
【００２４】
次に、本実施例の輪ゴムホルダ１が実際に使用される態様について、図６〜図９に示す。輪ゴムが掛止されている模式図を図６、筆記具が差し込まれている模式図を図７と図８、メモ用紙が挟み込まれている模式図を図９に示す。
【００２５】
本実施例の輪ゴムホルダ１によれば、図６に示されるように、輪ゴム保持部４が２カ所設けられているので、種類の異なる輪ゴムを別々に掛止・保持することができる。輪ゴムを片手で取り出す際には、つままれた一本が突出部４２と２１とに引っかかり引っ張られる。そのため、つままれた輪ゴムの厚みが所定間隔より狭くなり、輪ゴム保持部から抜き取り出される。つまんだ輪ゴムに他の輪ゴムが複数まとわりついたとしても、他の輪ゴムが引っ張られてその厚みが所定間隔より狭くなることはないので、切り欠き部分４１を通過し難い。結果、片手だけでも簡単に一本の輪ゴムだけが取り出される。
【００２６】
また、図７、８に示すように、筆記具も２つの保持方法が可能であるので、輪ゴムホルダ１の設置場所や好みに応じて筆記具を保持することができる。そして、図９に示すように、メモ用紙を挟み込むこともできるので、筆記具保持部５に保持されている筆記具でメモを取ることもできる。
【００２７】
図６〜図９では、それぞれの保持部を説明しやすいように、輪ゴム、筆記具及びメモ用紙を一度に保持している図を示していないが、本実施例の輪ゴムホルダ１は一度に全てを保持することもできる。
【００２８】
このように、本実施例の輪ゴムホルダ１は非常にコンパクトでありながら、輪ゴム、筆記具、メモ用紙などを一度に保持することができる。そして、板状の基台２と表装台３とで形成されているので、突出した形状ではなく平らで薄い輪ゴムホルダが実現されている。壁や、ドア、冷蔵庫等の平らな面に設置されることを考慮した場合、非常に引っかかりにくく邪魔になりにくい形状である。その上、表装台３の表面は平らなので、ここに文字や図形等を付することができる。
【００２９】
以上、本考案の好適な実施例について説明したが、本考案は上記実施例に限定されるものではない。例えば、基台及び表装台の外形は長方形だけでなく、正方形や円形等でも良く、基台と表装台との外形の形状を同じとせず、円形の基台に正方形の表装台とすることも可能である。また、輪ゴム保持部は表装台の左右の下方ではなく上方としたり、輪ゴム保持部の左右の間隔を広げて筆記具保持部を水平方向に並列で２つ以上設けたり、あるいは輪ゴム保持部と紙保持部とだけの輪ゴムホルダ等のように各保持部を全て盛り込まず組み合わせを変えることも考えられる。
【００３０】
その他に、表装台と基台との間の突出部をそれぞれ設けず、輪ゴム保持部の切り欠き部分を最狭部とし、切り欠きの間隔が輪ゴムの厚みよりも狭くすることもできる。
【図面の簡単な説明】
【００３１】
【図１】本実施例の輪ゴムホルダ１の斜視図である。
【図２】本実施例の輪ゴムホルダ１の正面図である。
【図３】本実施例の輪ゴムホルダ１の右側面図である。
【図４】本実施例の輪ゴムホルダ１の上面図である。
【図５】本実施例の輪ゴムホルダ１の底面図である。
【図６】本実施例の輪ゴムホルダ１の輪ゴム保持部４に輪ゴムを掛止している模式図である。
【図７】本実施例の輪ゴムホルダ１の筆記具保持部５に筆記具を保持している模式図である。
【図８】本実施例の輪ゴムホルダ１の筆記具保持部５に筆記具を保持している模式図である。
【図９】本実施例の輪ゴムホルダ１の紙保持部６に紙を挟み込んでいる模式図である。
【符号の説明】
【００３２】
１：輪ゴムホルダ            ２：基台             ３：表装台
４：輪ゴム保持部            ５：筆記具保持部     ６：紙保持部
２１：突出部                ２２：挟み部         ４１：切り欠き部分
４２：突出部                ６１：挟み部
【図１】
0003130835.tif 000003
【図２】
0003130835.tif 000004
【図３】
0003130835.tif 000005
【図４】
0003130835.tif 000006
【図５】
0003130835.tif 000007
【図６】
0003130835.tif 000008
【図７】
0003130835.tif 000009
【図８】
0003130835.tif 000010
【図９】
0003130835.tif 000011